Podtech/llm-jp-corpus-v4-ja_patent huggingface dataset:
(57)【要約】      （修正有）【課題】側溝蓋の隙間に詰まった泥などで固着して外れないものを、ネジ棒を利用して僅かな力で安全に外すことができる側溝蓋外しリフターを提供する。【解決手段】左右２本の支柱を設け、前記それぞれの支柱間に１本の蓋吊りアーム７を渡し、前記蓋吊りアームは左右それぞれに設けられたオスネジの回しハンドル４を回す事により上下移動を可能とする。又、前記の蓋吊りアーム７の中央の２か所のそれぞれに爪つきネジ棒１と蓋締めナット２を設け、前記それぞれの爪付きネジ棒と前記の蓋吊りアームとで側溝の蓋を挟み、蓋を締め付けナット２で固定する。前記それぞれの支柱の下部に転倒を防止する安定板６を設けそれぞれの爪付きネジ棒は側溝蓋の寸法に合わせて幅や厚みに合わせてスライドさせる。【選択図】図１
0003164434.tif 000002
【実用新案登録請求の範囲】
【請求項１】
蓋の底に引っ掛ける爪付きネジ棒をスライドにより、幅と厚みに合わせる事ができる。
【請求項２】
爪つきネジ棒のナットを締めて、蓋をアームに固定する。
【請求項３】
引上げにはネジの力を利用する。
【考案の詳細な説明】
【技術分野】
【０００１】本考案は側溝蓋の隙間に詰まった泥などで固着して外れないものを僅かな力で安全に外す方法です。又、厚みや幅にも対応して使用できる。
【背景技術】
【０００２】現在の側溝蓋外しの方法はテコの応用か人力による道具があるが、厚みや幅の対応に問題があり、作業も安全ではない。
【考案の概要】
【考案が解決しようとする課題】
【０００３】  隙間に泥などが詰まって固まり外れない側溝蓋を安全に外し、厚みや幅の違ったものを外す。
【課題を解決するための手段】
【０００４】爪付きのネジ棒を側溝蓋の底に掛け、ナットで締め付け、ネジの力で引き上げるので安全に外すことができ、厚みや幅にもスライドし対応できる構造である。
【考案の効果】
【０００５】ネジの力を利用して側溝蓋を引き上げるので強い力を要せず楽であり、蓋はネジで締めて固定しているので脱落せず、移動や運搬が安全である。
【図面の簡単な説明】
【図１】  本考案の全体を示した斜視図である。
【符号の説明】１  爪付きネジ棒          ５  アーム引上げメネジ付スライドブロック
２  蓋締め付け固定ナット  ６  安定板
３  アーム引き上げ雄ネジ  ７  蓋吊りアーム
４  雄ネジ回しハンドル
【図１】
0003164434.tif 000003
【手続補正書】
【提出日】平成22年7月15日(2010.7.15)
【手続補正２】
【補正対象書類名】実用新案登録請求の範囲
【補正対象項目名】全文
【補正方法】変更
【補正の内容】
【実用新案登録請求の範囲】
【請求項１】
本案は．左右２本の支柱を設け．前記それぞれの支柱間に１本の蓋吊りアームを渡し．前記蓋吊りアームは左右それぞれに設けられたオスネジの回しハンドルを回す事により上下移動を可能とし前記の蓋吊りアームの中央の２か所のそれぞれに爪つきネジ棒と蓋締めナットを設け．前記それぞれの爪付きネジ棒と前記の蓋吊りアームとで側溝の蓋を挟み蓋を締め付けナットで固定する事を特長とし．前記それぞれの支柱の下部に転倒を防止する安定板を設けた．尚それぞれの爪付きネシ棒は側溝蓋の寸法に合わせて幅や厚みに合わせてスライドし．使用出来る側溝蓋外しリフターである。
【手続補正書】
【提出日】平成22年9月10日(2010.9.10)
【手続補正１】
【補正対象書類名】実用新案登録請求の範囲
【補正対象項目名】全文
【補正方法】変更
【補正の内容】
【実用新案登録請求の範囲】
【請求項１】
両側に、左右２本の支柱を設け、前記それぞれの支柱間に１本の蓋吊りアームを渡し、前記蓋吊りアームは左右それぞれに設けられたオスネジの回しハンドルを回す事により上下移動を可能とし前記の蓋つりアームの中央の２か所のそれぞれに爪つきネジ棒と蓋締めナットを設け、前記それぞれの爪付きネジ棒と前記の蓋吊りアームとで側溝の蓋を挟み蓋を締め付けナットで固定する事を特長とし、前記それぞれの支柱の下部に転倒を防止する安定板を設け、尚それぞれの爪付きネシ棒は側溝蓋の寸法に合わせて幅や厚みに合わせてスライドし、使用出来る側溝蓋外しリフター。
(57)【要約】【課題】建物の上層階で吹く風による排水管内の圧力変動を抑制できる排水通気設備の通気口金具を提供する。【解決手段】排水管路の大気開口部３を上方から覆って取り付けられる通気口金具１と共に、通気口金具１の下部に遮蔽板２が配設される。遮蔽板２は、開口窓４により通気性を確保し、かつ、下方より侵入する風を防ぐ底板５が取り付けられている。【選択図】図１
0003164435.tif 000002
【実用新案登録請求の範囲】
【請求項１】
排水管路の大気開口部に、排水管路への異物の侵入を防止する通気口金具と、前記大気開口部の開口面積と同等以上の面積がある開口窓を側面下部に設けて通気性を確保し、かつ、下方からの風の侵入を防止する底板が取り付けられた前記通気口金具の下部に遮蔽板が配設され、風による排水管路内の圧力変動を抑制できる構造を特徴とする排水通気設備の通気口金具。
【考案の詳細な説明】
【考案の詳細な説明】
【技術分野】
【０００１】  本考案は、建物の排水管路における大気開口部に設置する通気口金具の構造に関する。
【背景技術】
【０００２】  従来の排水管路の大気開口部においては、通気性を確保しつつ、雨水やゴミが管内に侵入するのを防止する為に、前記大気開口部を上方から覆うように通気口金具が取り付けられていた。
【考案が解決しようとする課題】
【０００３】  この種の通気口金具にあっては、大気開口部が建物の上層部に設けられている場合、上層で吹く風の影響により、通気口金具の開口部から空気が圧送され、排水管路内に正圧が生じる場合あった。また、逆に前記開口部付近の風向により開口部から空気が吸い出され、負圧を生じさせることがあった。
【０００４】  このとき、排水管路内の圧力変動により、排水の流れが阻害され、逆流やトラップ破封が起こる恐れがあった。
【課題を解決するための手段】
【０００５】  前記課題を解決するため、本考案は、通気口金具１と、その通気口金具の下部に遮蔽板２を接合して一体となった通気口金具Ａを大気開口部３に取付けると共に、遮蔽板２の下面には底板５を設けてあることを特徴とする排水通気設備の通気口金具である。
【０００６】  かかる構成にあって、上層階に設置した際、通気口金具１に接合された遮蔽板２に底板５が設けてあることにより、下方より大気開口部に吹き込む風を防ぐ事ができる。また同時に、遮蔽板２の開口窓４が外周側面下部にある為、風の影響により排水管路の空気が吸い出されにくくなる。これにより、排水管路の圧力変動を防止する事が出来る。
【考案を実施するための形態】
【０００７】  以下、添付図面に従って、本発明の一実施形態について説明する。図１は、排水管路の伸長通気管６に通気口金具Ａを取り付けた状態を示している。
【０００８】  通気口金具Ａは、排水管路内に雨水やゴミ等の侵入を防ぐ為に大気開口部３に被嵌した蓋体の通気口金具１と、排水管路内の圧力変動を減らす目的で通気口金具１の下部に遮蔽板２を備えて構成されている。
【０００９】  遮蔽板２の下面には、底板５が設けられている。この構造では、通気口金具Ａの周囲に風が吹いても、下方より正圧を伴った空気が大気開口部３より侵入することはなく、排水管路の圧力変動を抑制できる。
【００１０】  また、遮蔽板２の外周側面下部には、大気開口部３の開口面積と同等以上の面積がある開口窓４があり、排水管路内空気の大気開放を妨げない構造となっている。さらに、上層階で吹く風が開口窓４より侵入し正対する開口窓へ吹き抜けた場合でも、開口窓４の位置が大気開口部３と離れて配設されていることから、排水管路内の空気の吸い出しを防ぐことができ、排水管路が負圧になること抑制できる。
【００１１】  なお、通気口金具Ａは、本例においてアルミニウム鋳物による金属製のものとしているが、本発明の要旨に反しない限り、具体的形状、構造、材質、これらに対する付加部品等は、様々なものとすることができる。
【考案の効果】
【００１２】  本考案は以上の如く構成されているので、雨水やゴミが排水管路内に侵入せず、また管路内空気の大気開放を妨げない通気性を確保する一方、強風時には風の作用による大気開口部からの空気の侵入、吸い出しを防ぎ排水管路の圧力変動を抑制できて、排水の逆流や接続された排水トラップの破封を防止することができる。
【図面の簡単な説明】
【００１３】
【図１】本考案の要部である通気口金具の縦断面図である。
【符号の説明】
【００１４】Ａ  通気口金具１  通気口金具２  遮蔽板３  大気開口部４  開口窓５  底板６  伸長通気管７  テーパねじ
【図１】
0003164435.tif 000003
【手続補正書】
【提出日】平成22年8月27日(2010.8.27)
【手続補正１】
【補正対象書類名】実用新案登録請求の範囲
【補正対象項目名】全文
【補正方法】変更
【補正の内容】
【実用新案登録請求の範囲】
【請求項１】
排水管路の大気開口部に、排水管路への異物の侵入を防止するカバーと、前記大気開口部の開口面積と同等以上の面積がある開口窓を側面下部に設けて通気性を確保し、かつ、下方からの風の侵入を防止する底板が取り付けられた前記カバーの下部に遮蔽板が配設され、風による排水管路内の圧力変動を抑制できる構造を特徴とする排水通気設備の通気口金具。
【手続補正２】
【補正対象書類名】明細書
【補正対象項目名】０００５
【補正方法】変更
【補正の内容】
【０００５】  前記課題を解決するため、本考案は、カバー１と、そのカバーの下部に遮蔽板２を接合して一体となった通気口金具Ａを大気開口部３に取付けると共に、遮蔽板２の下面には底板５を設けてあることを特徴とする排水通気設備の通気口金具である。
【手続補正３】
【補正対象書類名】明細書
【補正対象項目名】０００６
【補正方法】変更
【補正の内容】
【０００６】  かかる構成にあって、上層階に設置した際、カバー１に接合された遮蔽板２に底板５が設けてあることにより、下方より大気開口部に吹き込む風を防ぐ事ができる。また同時に、遮蔽板２の開口窓４が外周側面下部にある為、風の影響により排水管路の空気が吸い出されにくくなる。これにより、排水管路の圧力変動を防止する事が出来る。
【手続補正４】
【補正対象書類名】明細書
【補正対象項目名】０００８
【補正方法】変更
【補正の内容】
【０００８】  通気口金具Ａは、排水管路内に雨水やゴミ等の侵入を防ぐ為に大気開口部３に被嵌した蓋体のカバー１と、排水管路内の圧力変動を減らす目的でカバー１の下部に遮蔽板２を備えて構成されている。
【手続補正５】
【補正対象書類名】明細書
【補正対象項目名】００１３
【補正方法】変更
【補正の内容】
【００１３】
【図１】本考案の要部である通気口金具の縦断面図である。
【手続補正６】
【補正対象書類名】明細書
【補正対象項目名】００１４
【補正方法】変更
【補正の内容】
【００１４】Ａ  通気口金具１  カバー２  遮蔽板３  大気開口部４  開口窓５  底板６  伸長通気管７  テーパねじ
(57)【要約】【課題】郵便私書箱を携帯電話、または、ICカードをキーとして解錠し、投入されている書状物等を取り出す。書状物等が投入された情報を郵便私書箱利用者宛に発信することである。【解決手段】郵便私書箱の錠構造をICカードキー対応の錠構造とし、解錠情報のリーダー部を郵便私書箱の扉部に設置する。書状物等の投入情報を感知装置が感知し、情報を郵便私書箱利用者宛に発信する。それらの機器を具備した構造の郵便私書箱とする。【選択図】  図１
0003164485.tif 000002
【実用新案登録請求の範囲】
【請求項１】
携帯電話、または、ICカードを解錠のキーとするための錠構造の機構装置を具備し、
解錠情報の読み取りリーダー装置を扉部に設置し、郵便私書箱内部に書状物等が投入されたことを携帯電話に向けて発信作動機能を具備している感知装置を設置した郵便私書箱。
【考案の詳細な説明】
【技術分野】
【０００１】
本考案は、携帯電話、または、ICカードをキーとして解錠する郵便私書箱に関するものである。
【背景技術】
【０００２】
郵便私書箱の錠の施解錠は、その錠に対応する鍵で行われている。
【先行技術文献】
【非特許文献】
【０００３】
郵便私書箱については関連技術は皆無であった。
【考案の概要】
【考案が解決しようとする課題】
【０００４】
解決しようとする課題は、郵便私書箱を、その錠に対応した解錠キー機能を備えた携帯電話、または、ICカードをキーとして解錠する。
【０００５】
また、郵便私書箱に書状物等が投入された場合、その情報が郵便私書箱利用者の携帯電話に発信する郵便私書箱とすることである。
【課題を解決するための手段】
【０００６】
郵便私書箱の錠構造の機構をICカードキー対応の錠構造機構とすることにより、その錠に対応した解錠情報とキー機能を備えた携帯電話、または、ICカードキーを郵便私書箱の情報読み取りリーダー部に非接触でかざすことにより解錠する。
【０００７】
この郵便私書箱に書状物等の投入されたことを設置している感知装置が感知して、設置されている発信機能が作動し、郵便私書箱利用者に発信する。
【考案の効果】
【０００８】
このICカードキー対応の錠構造の機構を具備した郵便私書箱は、錠に対応する解錠情報とキー機能を備えている携帯電話、または、ICカードを郵便私書箱の扉部に設置したキー情報の読み取りリーダー部に非接触でかざすことによって解錠することが出来る。
【０００９】
投入された書状物等を取り出したあとは、施錠忘れをしないように錠は、扉を閉じると自動的に施錠される。
【００１０】
錠の構造は不正解錠が出来ない、出来にくい構造とする。
【００１１】
この郵便私書箱に投入された書状物等の投入情報が、設置されている感知装置及び発信作動機能により郵便私書箱利用者の携帯電話に自動的に発信する。また、この郵便私書箱に設置している感知、発信の機能を利用して、書状物等のあるなしについて、携帯電話を利用して確認することが出来る。以上の効果機能を有する私書箱である。
【図面の簡単な説明】
【００１２】
【図１】郵便私書箱の構造を示した図である。
【考案を実施するための形態】
【００１３】
携帯電話、または、ICカードを解錠のキーとする錠構造の機構装置を組み込んだ郵便私書箱は、不正解錠が出来ない、出来にくい錠構造の錠を具備している。
【実施例１】
【００１４】
本考案の郵便私書箱は、解錠情報を備えた携帯電話、または、ICカードをキーとして使用するための、情報読み取りのリーダー部を郵便私書箱の扉部の前面に設置した郵便私書箱であり、解錠情報を備えた携帯電話、または、ICカードを郵便私書箱前面の情報読み取りリーダー部に対して、非接触でかざすだけで解錠できる。
【００１５】
施錠に関しては、自動施錠機構となっており、施錠忘れをしないように自動的に施錠される。
【００１６】
この郵便私書箱に投入された書状物等の投入情報が、郵便私書箱内部に設置されている発信作動機能を具備している感知装置により郵便私書箱利用者の携帯電話に自動的に発信する。また、この郵便私書箱に設置している感知、発信の機能を利用して、書状物等のあるなしについて、携帯電話を利用して確認することが出来る。以上の機能の諸作動のための構造を具備している私書箱である。
【符号の説明】
【００１７】
１  錠
２  読み取りリーダー部
３  感知装置発光部
４  発信作動機能を具備している感知装置受光部
５  郵便私書箱本体
６  郵便私書箱の扉部
【図１】
0003164485.tif 000003
(57)【要約】【課題】沖縄の平らな黒線香は独特な形で一片には六つの節目がついていて、一筋ずつ分ける事ができる。線香二本に折り分けるときや三本に折り分けるとき確実に本数通りに簡単に折りわけ取り出す事ができ、器具の形状をシンプルにする事。【解決手段】沖縄の平らな黒線香を二本、三本に折り分ける場合、沖縄の平らな黒線香厚さ分に設けた器具の側面の溝と沖縄の平らな黒線香の筋目が平行になるように挿入し、その溝の深さを折り分けたい線香の本数分にする事で、折り分けたい線香の本数だけ溝に固定され簡単に折り分ける事ができ、溝に残った線香を取り出しやすくするため、本体中央部に上面部半分開いた取り出し口を設ける事で簡単に折り分け取り出す事ができる。【選択図】図３
0003164449.tif 000002
【実用新案登録請求の範囲】
【請求項１】
一片に六つの節目がある沖縄の平らな黒線香を二本、三本、に簡単に折り分けるために、器具の側面に三本折り分け溝と二本折り分け溝を設け折り分けた後溝に残った沖縄の平らな黒線香を取り出すために本体中央部に上面部半分開いた取り出し口を一つに備えた沖縄の平らな黒線香を二本、三本、に折り分ける器具。
【請求項２】
沖縄の平らな黒線香を二本に折り分けるために沖縄の平らな黒線香と同じ厚さの溝で線香二本文の深さの溝に線香を平行に全体を挿入し固定する溝を設けた器具。
【請求項３】
沖縄の平らな黒線香を三本に折り分けるために沖縄の平らな黒線香と同じ厚さの溝で線香三本文の深さの溝に線香を平行に全体を挿入し固定する溝を設けた器具。
【考案の詳細な説明】
【技術分野】
【０００１】本考案は、一片に六つの節目がついていて、一筋ずつ分ける事ができる独特な形状をした沖縄の平らな黒線香を二本、三本、に折り分ける器具。
【背景技術】
【０００２】従来、下記の特許文献１、特許文献２、のように物を溝に挿入し、切断したり、折ったりする器具などあるが沖縄の平らな黒線香を折り分ける器具など無い、そのため指先で折り分けていた。手先の不器用な方や老眼などの年配の方は苦労していた。
【先行技術文献】
【特許文献】
【０００３】
【特許文献１】特開２００９−０３９３３４号公報
【特許文献２】特開２００１−３１４６６７号公報
【非特許文献】
【０００４】
【非特許文献１】アスクルカタログ品番１８７Ｂ
【考案の概要】
【考案が解決しようとする課題】
【０００５】沖縄の平らな黒線香は独特な形で一片には六つの節目がついていて、一筋ずつわける事ができる。その筋を一本とし、一片は六本と数える。祈願の内容や拝む人によって本数があり一片を、折り分けて使うのだが従来指先で折り分けていた。手先の不器用な方や老眼などの年配の方でも簡単に素早く折り分ける器具を提供する。
【課題を解決するための手段】
【０００６】沖縄の平らな黒線香を、一片から三本や二本に折り分けるには、沖縄の平らな黒線香厚さ分に設けた器具の側面の溝と沖縄の平らな黒線香の筋目が平行になるように挿入し、その溝の深さで線香を固定し、二本に折り分けたり三本に折り分けたりする、また折り分けて溝に残った線香を取り出すため本体中央部に上面部半分開いた取り出し口を設ける。
【考案の効果】
【０００７】指先で折り分けるよりも簡単で早い。
【図面の簡単な説明】
【０００８】
【図１】沖縄の平らな黒線香を二本、三本、に折り分ける器具を示した図である。
【図２】沖縄の平らな黒線香を示した図である。
【図３】沖縄の平らな黒線香を二本、三本、に折り分ける器具に挿入し折り分けた後取り出す図である。
【考案を実施するための形態】
【０００９】実施するための形態を図番とともに説明する。図１、１は沖縄の平らな黒線香を二本、三本、に折り分ける器具全体図である。図１、２は沖縄の平らな黒線香を折り分けて溝に残った沖縄の平らな黒線香を取り出すため本体中央部に上面部半分開いた取り出し口である。図４は沖縄の平らな黒線香を三本、折り分ける溝である。図３は沖縄の平らな黒線香を二本、折り分ける溝である。
【実施例】
【００１０】実施するための実施を図番とともに説明する沖縄の平らな黒線香図５を三本、に折り分ける場合図１、の沖縄の平らな黒線香を二本、三本、に折り分ける器具図１、４の沖縄の平らな黒線香が丁度三本分入る深さの溝に沖縄の平らな黒線香の筋目と沖縄の平らな黒線香を二本、三本、に折り分ける器具側面の溝に平行に全体を挿入し固定し上下どちらかに力を入れ折り分け、溝に残った沖縄の平らな黒線香を取り出すため図１、２の本体中央部に上面部半分開いた取り出し口から取り出す。沖縄の平らな黒線香を二本、折り分ける場合図１、３の沖縄の平らな黒線香が二本入る溝に沖縄の平らな黒線香を三本、折り分けた要領で折り分け、溝に残った沖縄の平らな黒線香を取り出すための図１、２の取り出し口から取り出す。
【産業上の利用可能性】
【００１１】構造が複雑でないためコストがあまりかからず安く供給出来る。【００１２】廃材を利用する事でリサイクルになる。
【符号の説明】
【００１３】１  沖縄の平らな黒線香を二本、三本、に折り分ける器具を示した図である。
２  沖縄の平らな黒線香を二本、三本、に折り分けた後の取り出し口である。
３  沖縄の平らな黒線香を二本、に折り分けるための挿入溝である。
４  沖縄の平らな黒線香を三本、に折り分けるための挿入溝である。
５  沖縄の平らな黒線香である。
【図１】
0003164449.tif 000003
【図２】
0003164449.tif 000004
【図３】
0003164449.tif 000005
(57)【要約】      （修正有）【課題】ゴルフのプレーでパットをするときカップに向かって正しい方向にパットが出来るようにしてカップインの確率をたかめるゴルフボールを提供する。【解決手段】ゴルフボールの表面に直角に交わる縦と横の線を印刷しておき横の線をカップインのラインに合わせ、縦の線にパターのフェイスの向きを合わせることでカップインの確率を高める。【選択図】図２
0003164444.tif 000002
【実用新案登録請求の範囲】
【請求項１】
ゴルフボールの表面に直角に交わる縦と横の線が印刷されているゴルフボール。
【考案の詳細な説明】
【考案の概要】
従前のゴルフボールでパットをする時に目標のカップに向かって方向を定め易くする目的でボールの表面に横に一本線が印刷されているゴルフボールが販売されているが、いまひとつ目標に合わせ難い、本考案は縦にも一本線を入れて、パターのフェイス面とも合わせるようにすると、パットの入る確率が高くなると考えた、ゴルフボールの表面に縦と横に直角に交わる線が印刷されたゴルフボール。
【考案が解決しようとする課題】
【０００１】ゴルフとゆうスポーツはパットの調子の良し悪しでそのときの成績が大きく左右される、パットの上手、下手がとても重要なスポーツである。プロの選手もパットイズマネーと言っている、すこしでもパットが上手になりたい、すこしでもパットが正確に打てるようになりたい、とゆうことがゴルファー全員の願いである。
【課題を解決するための手段】
【０００２】ゴルフボールの表面に縦と横に直角に交わる線をひいておく。
【考案の効果】
【０００３】本考案に基づいて作られたゴルフボールで、横の線をカップのラインに合わせ、パターのフェイスの向きを縦の線に合わすのであるから感だけでパットをするよりも確実にカップに入る確率は高くなる、小生が実証済みである。
【図面の簡単な説明】
【図１】既存のゴルフボールの表面に横線の印刷されているゴルフボールを上から見た図
【図２】本考案に基ついて縦と横の直角に交わった線が印刷されたゴルフボールを上から見た図
【図１】
0003164444.tif 000003
【図２】
0003164444.tif 000004
(57)【要約】      （修正有）【課題】夜間の外灯の無い場所でも安全快適にランニング出来る照明ライト付きベルトを提供する。【解決手段】日中仕事で走れないランナーが外灯のない暗い夜道を走ろうとすると、歩道に自転車や物が置かれていたり、道に段差があったりして、とても危険で走れない。手にライトを持って走るのも走りづらい。そこで、腰にライトの付いたベルトを装着し、足元を照らせるようにした。足元を照らしているので、外灯の無い場所でも安全、快適に夜道を走ることができる。【選択図】図２
0003164442.tif 000002
【実用新案登録請求の範囲】
【請求項１】
ランニング用に、腰に脱着出来るベルトの中央に照明ライトを付けた。
【考案の詳細な説明】
【技術分野】
【０００１】  本孝案は、日中走ることができないランナーが夜間安全に走るために、照明ベルトを腰に装着出来るようにしたものである。
【背景技術】
【０００２】  従来はランニング用の照明腰ベルトはなかった。
【考案の概要】
【考案が解決しようとする課題】
【０００３】  日中仕事で走れないランナーが外灯のない暗い夜道を走ろうとすると、歩道に自転車や物が置かれていたり、道に段差があったりして、とても危険で走れない。手にライトを持って走るのも走りづらい。
【課題を解決するための手段】
【０００４】  腰にライトの付いたベルトを装着し、足元を照らせるようにした。
【考案の効果】
【０００５】  足元を照らしているので、外灯の無い場所でも安全、快適に夜道を走ることができる。
【図面の簡単な説明】
【０００６】
【図１】  ベルト中央にライトを付けた全体図である。
【図２】  実際装着して使用した図である。
【図１】
0003164442.tif 000003
【図２】
0003164442.tif 000004
【手続補正書】
【提出日】平成22年8月26日(2010.8.26)
【手続補正１】
【補正対象書類名】実用新案登録請求の範囲
【補正対象項目名】全文
【補正方法】変更
【補正の内容】
【実用新案登録請求の範囲】
【請求項１】
ランニング用に、腰に脱着出来るベルトの中央に照明ライトを付けたことを特徴とするランニング用照明腰ベルト。
(57)【要約】      （修正有）【課題】永久磁石の吸引力及び反発力を連続運動として取り出すため、永久磁石の同磁極間において吸引板を回転させるが、吸引板を回転させる動力をより小さなものとし、永久磁石の吸引力と反発力をより大きな動力としてなめらかに取り出すことができる動力機を提供する。【解決手段】本動力機は、円を４分の１等分した扇形の永久磁石をピストンとする１個のシリンダを４個納めたシリンダ筒を作製し、構造及び極性が同一である１対のシリンダ筒を同じ中心軸にわずかの間隙を置いて左右対称に設置し、１対のシリンダ筒の間隙において吸引板を回転させることにより課題の解決を図った。吸引板については、シリンダの永久磁石と同一の扇形をした鉄製の吸引板２枚を１８０度の対照に配置し、吸引板を円滑に回転させるため１枚の円板に組込み、シリンダ筒の回転軸に取り付け、２個のシリンダ筒の間で円滑に回転させるようにした。【選択図】図１
0003164447.tif 000002
【実用新案登録請求の範囲】
【請求項１】
扇形のシリンダ４個を円筒形の筒に納めたものが１個のシリンダ筒であり、２個のシリンダ筒をわずかの間隔をおいて左右対称に設置すると、相対するシリンダの扇形の永久磁石は同極であるため反発しあうが、２個のシリンダ筒の隙間に吸引板である鉄製の板を置くとシリンダ内の永久磁石は強く吸着しようとする。この性質を利用し、永久磁石と相似形の扇形をした２枚の吸引板を１８０度対称に設置し回転させることによって、連続的に永久磁石の吸引力と反発力を取り出すことができる改良型の動力機に関するもの。
【考案の詳細な説明】
【技術分野】
【０００１】
本考案は、従前の永久磁石の吸引力及び反発力を利用した動力機においては吸引板を出入することに無理が生じていたが、シリンダ筒に４個の扇形シリンダを配置し、永久磁石と相似形をした２枚の扇形の吸引板を回転させることにより従前の問題の改善を図ったものである。扇形の永久磁石はそれぞれピストンの役割を受け持ち、吸引板が近づくと吸引力が生じて近づき、吸引板が遠ざかると反発力が生じて離れようとするが、一方、吸引板が永久磁石から遠ざかろうとするときに吸引板に対する保持力が生じ、逆に、吸引板が永久磁石に近づこうとするときにかかる引込力が生ずる。従前の動力機は、保持力に打ち勝つ吸引板の動力源が必要であったが、本考案は、シリンダに扇形の永久磁石４個をそれぞれ対称に配置し、永久磁石と相似形をした吸引板２枚を１８０度の対称に配置することにより、吸引板を回転しても永久磁石が吸引板に作用する保持力と引込力が相殺されるため、吸引板を回転させる動力源を小型化し且つ滑らかな回転を得ることができるように改善したもの。
【背景技術】
【０００２】
本考案の改良型動力機は、近年特に国を挙げて取り組んでいるクリーンエネルギー開発において革新的な技術を提供するものである。永久磁石の吸引力と反発力を利用することによって、様々な装置の動力源として活用できる。例えば、車のエンジンとして、吸引板を回転する動力源はバッテリーを使用するが、吸引板を回転するだけの小さな動力から永久磁石の吸引力と反発力を利用した大きな動力が得られ、バッテリーを直接の動力源としないために長時間使用を可能にし、バッテリー性能が持続する限り、充電が必要になるまで連続運転が可能となる。また、より強力な永久磁石の利用と複数の本考案の動力機を併用することにより、さらに高出力の動力機の作製が可能となる。  
【考案の開示】
【考案が解決しようとする課題】
【０００３】
解決しようとする課題は、永久磁石の吸引力及び反発力を連続運動として取り出すため、永久磁石の同磁極間において吸引板を回転させるが、吸引板を回転させる動力をより小さなものとし、永久磁石の吸引力と反発力をより大きな動力としてなめらかに取り出すことができる装置の開発である。
【課題を解決するための手段】
【０００４】
本考案の改良型動力機は、円を４分の１等分した扇形の永久磁石をピストンとする１個のシリンダを４個納めたシリンダ筒を作製し、構造及び極性が同一である１対のシリンダ筒を同じ中心軸にわずかの間隙を置いて左右対称に設置し、１対のシリンダ筒の間隙において吸引板を回転させることにより課題の解決を図った。吸引板については、シリンダの永久磁石と同一の扇形をした鉄製の吸引板２枚を１８０度の対照に配置し、吸引板を円滑に回転させるため１枚の円板に組込み、シリンダ筒の回転軸に取り付け、２個のシリンダ筒の間で円滑に回転させるようにした。
【非特許文献１】特許願  １９８１年１０月９日  出願人  橘田治樹
【考案の効果】
【０００５】
本考案の改良型動力機は、クリーンエネルギー発生装置ともいえるもので、永久磁石の吸引力及び反発力を利用するため、永久的な動力源として活用できる。永久磁石の動力を発生させるため吸引板を回転する動力が必要となるが、バッテリー、水力等のエネルギーで賄うことができ、永久磁石の大きな吸引力及び反発力を大きな動力として連続して取り出すことができるため、革新的なクリーンエネルギー発生装置として期待できる。
【考案を実施するための最良の形態】
【０００６】
本考案の改良型動力機は、ピストンに永久磁石を利用し扇形をした４個のシリンダで構成するシリンダ筒を１対配置し、シリンダの永久磁石と同一の扇形をした鉄製等の磁性体材料で作製した円板を１８０度の対照に配置し、シリンダ筒の回転軸に取り付け回転させるようにすることによって、滑らかな吸引板の回転と連続的な永久磁石の吸引力及び反発力を取り出すことを可能にしたものである。
【図面の簡単な説明】
【０００７】
【図１】シリンダ筒の正面図
【図２】動力発生部の側面図
【図３】動力発生部の平面図
【図４】動力発生部の斜視図
【図５】吸引板の正面図
【符号の説明】
【０００８】
１  ピストン
２  ピストン軸
３  回転軸
４  吸引板
５  磁性体
６  非磁性体
【図２】
0003164447.tif 000003
【図３】
0003164447.tif 000004
【図４】
0003164447.tif 000005
【図１】
0003164447.tif 000006
【図５】
0003164447.tif 000007
【手続補正書】
【提出日】平成22年9月24日(2010.9.24)
【手続補正１】
【補正対象書類名】実用新案登録請求の範囲
【補正対象項目名】請求項１
【補正方法】変更
【補正の内容】
【請求項１】
角度９０度の扇形の永久磁石をピストンに用いた扇形のシリンダ４個を円筒形の筒に納めて１個のシリンダ筒を作製し、２個のシリンダ筒をわずかの間隔を置き永久磁石の極性  及びシリンダ筒の構造を左右対称にして設置すると、相対するシリンダの扇形の永久磁石  は同極であるため反発しあうが、２個のシリンダ筒の隙間に鉄製等の磁性体材料からなる  永久磁石と相似形をした２枚の扇形の吸引板を１８０度対称に設置し回転させることによ  り、永久磁石の吸引力と反発力を連続的に取り出すことができる改良型の動力機。
(57)【要約】      （修正有）【課題】手摺の落下防止高さを高く変更する工事において、半割の継手を用いて、短い工期で、安価に施工できるようにした手摺構造を提供する。【解決手段】下部水平手摺３と下部垂直部材４のＴ字型の結合部にて、該Ｔ字結合部と上部垂直部材２とを十字型の半割継手で挟持し結合した十字結合部１０を有する落下防止高さを高く改善した手摺構造とした。ここで、下部水平手摺３と上部垂直部材２とでＴ字型の結合部１２となして、該Ｔ字結合部をＴ字型の半割継手にて挟持し結合したＴ字結合部をさらに有してもよい。【選択図】図１
0003164450.tif 000002
【実用新案登録請求の範囲】
【請求項１】
下部手摺に半割継手で結合した上部垂直部材と、該上部垂直部材に結合した上部水平手摺を有する手摺構造であって、
下部水平手摺と下部垂直部材のＴ字型の結合部にて、
該Ｔ字結合部と上部垂直部材とを十字型の半割継手で挟持し結合した十字結合部を有する手摺構造。
【請求項２】
下部水平手摺と上部垂直部材とでＴ字型の結合部となして、該Ｔ字結合部をＴ字型の半割継手にて挟持し結合したＴ字結合部をさらに有する、」請求項１の手摺構造。
【考案の詳細な説明】
【技術分野】
【０００１】  本考案は、半割の継手を用いて既存の手摺の上方に結合して、安全高さを高く改善した手摺の構造に関するものである。この構造によって、短い工期、かつ、安価で手摺の安全高さを高くすることができる。手摺を有する建造物の用途を変更（転用）する際に生じる安全基準の違い等に速やかに対応できる技術である。
【背景技術】
【０００２】  割型継手の一種である「半割継手」を用いて管構造（パイプ接続構造）を構築することは知られている。（特許文献１参照）【０００３】  ここで用いられる「Ｔ字型、十字型の半割継手」は、立設された支柱と支柱の間にその高さの途中位置に手摺を掛け渡すようにして取り付ける場合に使用される手摺取付け具の一つとして知られている。（特許文献２の図８等参照）【０００４】  ゆえに、Ｔ字型・十字型の半割継手を用いて管構造をなし、それを手摺構造となすことは公知である。【０００５】  一方、建築基準法の安全基準改正や、既設建造物の用途を変更するにあたって、既設の手摺の高さが安全上不十分であるため、より高いものにして安全確保せねばならない場合がある。【０００６】  たとえば、学校の屋内運動施設を近隣地域へ開放して、リクリエーション等に利用する場合や、一般向け医療施設を高齢者の介護施設に転用する場合等であって、既存の手摺高さでは、転用後の利用者の安全確保が困難となるケースである。【０００７】  しかしながら、手摺構造を大幅に変更する大規模なものは費用が高価で、工期も長期になるので、好ましくない。ゆえに、既存の手摺をそのまま利用して上記の安全確保のための改良をなす適切な構造が望まれていた。本考案はこれを提案する。
【先行技術文献】
【特許文献】
【０００８】
【特許文献１】特開２０００−２１３５１３号公報「パイプ製フレーム装置のパイプ接続構造」
【特許文献２】再公表特許（ＷＯ）２００３−０３５９９６号公報「手摺取付け具及び手摺取付け工法」
【考案の概要】
【考案が解決しようとする課題】
【０００９】  既存の手摺をそのまま利用して、安全高さを高く改良した手摺構造を実現することである。
【課題を解決するための手段】
【００１０】  本考案は（請求項１）、既存の下部手摺（３および４）に半割継手で結合した上部垂直部材（２）と、該上部垂直部材に結合した上部水平手摺（１）を有する手摺構造であって、下部水平手摺（３）と下部垂直部材（４）のＴ字型の結合部にて、該Ｔ字結合部と上部垂直部材とを十字型の半割継手（１１）で挟持し結合した十字結合部（１０）を有する手摺構造である。（図１、図２参照）【００１１】  ここで、十字結合部（１０）にて十字型の半割継手（１１）で挟持する既存の下部垂直部材（４）は、その垂直下方が基礎と連結された部位をもったものを選ぶのが好適である。その理由は、基礎との結合があれば、構造上強度が強いからであって、上部垂直部材（２）と上部水平手摺（１）を支持するのに適切である。【００１２】  さらに本考案は（請求項２）、既存の下部水平手摺（３）と上部垂直部材（２）とでＴ字型の結合部となして、該Ｔ字結合部（１２）をＴ字型の半割継手（１３）にて挟持し結合した部位をさらに有してもよい。（図１、図３参照）【００１３】  十字型の半割継手（１１）およびＴ字型の半割継手（１３）は複数のビス・ナット・ボルト等で挟持した状態で締結固定されるが、図２、図３では、これらのビス・ナット・ボルトの図示は略した。【００１４】  また、十字結合部またはＴ字結合部の半割結合線を含む面に結合して、かかる半割結合部分を補強する部材をさらに具備しても良い。図３にＴ字結合部の半割結合線を含む面に結合して、その部分を補強する部材（１４）を例示する。この補強材も複数のビス・ナット・ボルトで締結すればよいが、ビス・ナット・ボルトの図示は略した。
【考案の効果】
【００１５】  本考案は、上部水平手摺と上部垂直部材と半割継ぎ手をあらかじめ準備し、現場では半割継手で既存の手摺の一部を挟持し結合する、という簡便な作業でよいので、工期が短くてよい。建築基準法の安全基準改正や、既設建造物の用途を変更するにあたって、既設の手摺の高さが安全上不十分である場合に短期間の工事で対応でき便利である。
【図面の簡単な説明】
【００１６】
【図１】図１は、本考案の実施例を示す模式図で、Ｈが下部の既存の手摺の高さ、ｈが本考案の上部手摺によって得られる手摺高さの増加分、図の斜線部が既存手摺に対する増築分である。
【図２】図２は、本考案請求項１の十字結合部（１０）の説明図である。
【図３】図３は、本考案請求項２のＴ字結合部（１２）の説明図である。
【考案を実施するための形態】
【００１７】  本考案では、手摺及び継ぎ手は、手摺管及び管継ぎ手とした管構造（パイプ接続構造）でも、多角形の断面の手摺、及び多角形の断面材に適合する継ぎ手による手摺構造でもよい。また、たとえば一部を管構造で構成し、一部を多角形の断面の手摺とした組合せとして実施してもよい。
【符号の説明】
【００１８】１  上部水平手摺
２  上部垂直部材
３  下部水平手摺
４  下部垂直部材
１０  十字結合部
１１  十字型の半割継手
１２  Ｔ字結合部
１３  Ｔ字型の半割継手
１４  Ｔ字結合部の半割結合線を含む面に結合し結合補強する部材
Ｈ  下部の既存の手摺による手摺高さ
ｈ  本考案の上部手摺によって得られる手摺高さの増加分
【図１】
0003164450.tif 000003
【図２】
0003164450.tif 000004
【図３】
0003164450.tif 000005
(57)【要約】      （修正有）【課題】コンクリート壁面のハツリ作業において、水・ハツリ片の飛散を防いで確実に回収するとともに、自動化され作業効率の高いウォータージェットハツリ装置を、簡単な構造で安く提供する。【解決手段】ウォータージェットの噴射ノズル１をＸ−Ｙ移動機構上に取り付け、自動でハツリを行う。移動機構は濡れていても滑ることなく移動できるよう、レールに載った状態でチェーン６とスプロケット７等を併用して移動させる。ノズル及び移動機構全体を下部が漏斗状になったカバー８〜１２で覆う。カバーのハツリ面と接する部分には可撓性のシール部材を付けることで隙間を無くし飛散を防ぐ。水、ハツリ片はカバー内を流れ落ちて下に集まり排出される。【選択図】図１
0003164455.tif 000002
【実用新案登録請求の範囲】
【請求項１】
ウォータージェットを使いコンクリート壁面のハツリを行う装置であって、噴射ノズルをＸ−Ｙ移動機構に取り付け自動で移動しながら作業を行うとともに、ノズル及び移動機構全体を下部が漏斗状で壁面と接する部分に可撓性のシール部材を付けたカバーで覆うことによって、水・ハツリ片が外に飛散せず流れ落ちて集まる構造を持ったハツリ装置。
【考案の詳細な説明】
【技術分野】
【０００１】  この考案はウォータージェットを使ったコンクリート壁面のハツリ装置に関するものである。
【背景技術】
【０００２】  トンネルの壁面等で劣化したコンクリートが剥落する事故が起こることがあり、その対策として劣化した部分を取り除き新たにコンクリートを打ち直す作業が行われる。取り除く工法の一つにウォータージェットを使ったハツリがある。
ハツリ作業及び飛散した水・ハツリ片の回収作業を人力で行うのは重労働であり、機械化、自動化が図られている。しかし装置自体や真空ポンプを使った水・ハツリ片回収等、他の工法と比べてコストがかかることが問題となっている。【０００３】  特許文献１では噴射ノズルを覆うカバーを付け、そのカバーにバキュームホースを付けて水・ハツリ片を真空吸引する装置が示されている。ノズル部が大掛かりで複雑なものになるとともに、ハツリ面の凹凸が大きな場合真空吸引が十分にできるかといった心配がある。【０００４】  特許文献２では、噴射ノズルに付けるカバーを水・ハツリ片が流れ落ちて集まる形状にすることで真空吸引を使わない方式が示されている。この方式ではハツリ面とカバーの間から飛散しないようカバーを強く押し付ける必要があるため、移動させるときの抵抗が増え大きな駆動力を必要とする。【０００５】  ノズルの移動範囲全体をカバーで覆うことによって、カバーを固定してハツリを行う装置もある。
特許文献３は水平面のハツリを行う装置であるが、Ｘ−Ｙ移動機構からアームを伸ばして先端に噴射ノズルを付け、カバーはアーム及びノズルの移動範囲を覆う。
移動する範囲はＸ−Ｙ移動機構の大きさで決まる。そのため装置の大きさに対しアームの移動範囲は狭いものになっている。
【先行技術文献】
【特許文献】
【０００６】
【特許文献１】登録実用新案  第３０４４５５９号  コンクリート壁面等水圧処理ヘッドとコンクリート壁面等水圧処理装置
【特許文献２】特許公開  ２００６−１０２９３０  懸垂型連続ハツリ排水，残渣回収式ウォータージェット横面ハツリ機
【特許文献３】特許公開  平１１−３５０７４７  はつり装置
【考案の概要】
【考案が解決しようとする課題】
【０００７】  自動化して高い効率を持つとともに水・ハツリ片の飛散を防いで確実に回収するウォータージェットハツリ装置を、簡単な構造で安く実現する。
【課題を解決するための手段】
【０００８】  ウォータージェットの噴射ノズルをＸ−Ｙ移動機構上に取り付け、自動で移動しながら効率良くハツリを行う。
ノズル及び移動機構全体を、カバーで覆う。カバーはハツリ面と接する部分に可撓性のシール部材を付けて隙間をなくし飛散を防止するとともに、下部を漏斗状にして水・ハツリ片が流れ落ちて集まる構造にすることで確実に回収できる装置を実現する。
【考案の効果】
【０００９】  特許文献１，２の装置と比較すると、本考案はノズルにカバー、真空吸引装置等が付かないためノズル部の構造が簡単である。特許文献２のような移動時のカバーとハツリ面の摩擦が無いためモータの駆動力が少なくて済む。また、特許文献３の装置と比較すると装置の大きさに対し処理範囲が広い。
以上より、安いコストで広い処理範囲を持ったハツリ装置を提供することができる。
【図面の簡単な説明】
【００１０】
【図１】ウォータージェットハツリ装置の正面図
【図２】ウォータージェットハツリ装置の側面図
【考案を実施するための形態】
【実施例】
【００１１】  ウォータージェットハツリ装置の正面図を図１、側面図を図２に示す。
内部を示すため図１ではカバーの手前の面１２の一部を、図２ではカバーの左枠９の一部及び左の垂直レール４を除いて図示している。
噴射ノズル１は水平方向のレール２上を左右に移動する。このレール２は垂直方向のレール４上を上下に移動する。ノズル１はレールが水にぬれた状態であっても滑ることなく確実に移動できるようにする（特に垂直方向の移動）。その方法として、例えばレールに並行してチェーン６を付け駆動用スプロケット７と噛み合わせる。【００１２】  水・ハツリ片の飛散防止及び騒音低減のため、ノズル及びレール全体を覆うカバーを付ける。
カバーは概ね五角形の箱状で上部の枠８、左右の枠９、１０、漏斗状の下部枠１１及び手前の面１２より成る。
ハツリ面１４と接する部分には可撓性のシール部材１５を付けて隙間を無くし、そこからの飛散を防ぐ。シール部材１５はブラシ、ゴム等を用いる。
手前の面１２はシート等を用い、取り外してあるいは開けてハツリ面１４を見られるようにする。これによって装置を移動しなくてもハツリ面１４の仕上りを確認することができる。
作業は対象となる壁面１４に装置を固定した後、手前の面１２を閉めてハツリを行い、開いて仕上りを確認し次の場所に移るといった手順で行う。【００１３】  装置全体の構成は自動で運転するための制御装置、給水タンク、高圧ポンプ、濾過装置等からなる。
給水タンクから高圧ポンプ、高圧ホース１６を通してノズル１に高圧の水が送られ、ハツリが行われる。排水ホース１３に流れ落ちた水は濾過装置でハツリ片を取り除く。濾過後の水はｐｈ等の問題がなければ再使用することができる。
本装置は圧力、水量等を調整することにより塗装の剥離、壁面の洗浄等にも使うことができる。
【産業上の利用可能性】
【００１４】  全国各地にある道路、トンネル、橋、建物等の保守を考えると、対象となるコンクリート構造物は非常に多い。
本考案のハツリ装置は、作業効率が高い、装置の大きさに対し処理面積が広い、簡単な構造で安いコストで提供することができるといった特長を持っている。したがって、本考案はたいへん広く利用されると考えられる。
【符号の説明】
【００１５】  １…ノズル
２…水平レール
３…水平方向移動用モータ
４…垂直レール
５…垂直方向移動用モータ
６…チェーン
７…スプロケット
８…カバー（上枠）
９…カバー（左枠）
１０…カバー（右枠）
１１…カバー（下枠）
１２…カバー（手前側の面）
１３…排水ホース
１４…ハツリ面（壁面）
１５…シール部材
１６…高圧ホース
【図１】
0003164455.tif 000003
【図２】
0003164455.tif 000004
(57)【要約】      （修正有）【課題】階段の手摺の落下防止高さを高く変更する工事において、階段脇の袖壁の斜行上面に、さらに手摺部材を上乗せして固定することで、短い工期で安価に施行でき、かつ使用時も安全な手摺構造を提供する。【解決手段】階段脇の袖壁２の斜行上面３に手摺部材９を、チャネル部材のフランジ面１１，１３を合わせて結合し、かつ、結合部にシール材またはコーキング材３０を配設した構造によって、安価かつ短期間の工事ですむようにし、階段の利用者から固定のためのボルトなど２１はシール材またはコーキング材３０で階段利用者からは見えない構造とした。【選択図】図３
0003164451.tif 000002
【実用新案登録請求の範囲】
【請求項１】
階段脇の袖壁の斜行上面に手摺部材を積載固定した構造であって、
階段脇の袖壁の斜行上面にフランジ面を上方とし固定したチャネル部材と、
手摺部材の基部にフランジ面を下方とし固定したチャネル部材のそれぞれフランジ面を面あわせ結合することで手摺部材が階段脇の袖壁の斜行上面に固定され、かつ、前記フランジ面合わせ結合部の階段側にシール材またはコーキング材が配設された構造。
【請求項２】
手摺部材の最下部が階段の第一段目の上方にあるように階段脇の袖壁の斜行上面に積載固定された、請求項１の構造。
【考案の詳細な説明】
【技術分野】
【０００１】  本考案は、階段脇の袖壁の斜行上面に、さらに、手摺部材を上乗せ積載して固定した構造に関する。この構造によって、短い工期、かつ、安価で階段での落下防止高さを高くできる。そのことで、かかる階段を有する建造物の用途を変更（転用）する際に生じる安全基準の違い等に速やかに対応できる技術である。
【背景技術】
【０００２】  階段脇の側壁に手摺を取り付ける構造（特許文献１参照）、あるいは、階段の手摺りの支持構造（特許文献２参照）については様々なものが提案されている。【０００３】  また、階段ではないが、手摺付きＡＬＣ壁構造として、手摺部材をＡＬＣの壁の上部にアンカー等で固定した構造が提案されている（特許文献３参照）。【０００４】  一方、建築基準法の改正や、既設建造物の用途を変更（転用）するにあたって、既設の階段脇に袖壁状に配設されている安全構造にて、その高さが用途の変更後における安全上不十分であるため、より高いものに改良・改築して安全を確保せねばならない場合がある。【０００５】  たとえば、学校の屋内運動施設を近隣地域に開放して、リクリエーション等に利用する場合や、一般向け医療施設を高齢者の介護施設に転用する場合等である。【０００６】  しかしながら、階段の改良・改築にて、構造を大幅に変更する大規模なものは費用が高価で、工期も長期になるので、好ましくない。ゆえに、既設の階段部分をそのまま利用した適切な改良・改築の構造が望まれていた。本考案はこれを提案する。
【先行技術文献】
【特許文献】
【０００７】
【特許文献１】実新登録第２０００−２１３５１３号公報「階段手摺取付け構造」
【特許文献２】特開平６−１４６５２１号公報「階段の手摺りの支持構造」
【特許文献３】特開２０００−１２９７７３号公報「手摺付きＡＬＣ壁構造」
【考案の概要】
【考案が解決しようとする課題】
【０００８】  既設の階段脇に袖壁状に配設した安全構造をそのまま利用して、短い工期、かつ、安価で階段での落下防止高さを高くする。そのことで、かかる階段を有する建造物の転用や建築基準法の安全基準の改正に速やかに対応するための技術を提供することである。
【課題を解決するための手段】
【０００９】  本考案は（請求項１）、階段（１）脇の袖壁（２）の斜行上面（３）に手摺部材（９）を積載固定した構造であって、階段脇の袖壁の斜行上面（２）にフランジ面（１１）を上方とし固定したチャネル部材（１０）と、手摺部材の基部にフランジ面（１３）を下方とし固定したチャネル部材（１２）のそれぞれフランジ面を面あわせ結合することで手摺部材が階段脇の袖壁の斜行上面に固定され、かつ、前記フランジ面合わせ結合部の階段側にシール材またはコーキング材（３０）を配設した構造である。（図１から図３参照）【００１０】  また本考案は（請求項２）、手摺部材の最下部（１９）が階段の第一段目（４）の上方にあるように階段脇の袖壁の斜行上面（２）に積載固定された態様が好適である。（図２参照）【００１１】  すなわち、図２のように階段の第一段目（４）の上方の位置（５）に手摺部材の最下部（１９）を配するように積載固定するのが好適である。
【考案の効果】
【００１２】  本考案の構造の現場における施工では、あらかじめ基部にフランジ面を下方とし固定したチャネル部材を有する手摺部材を準備し、階段脇の袖壁の斜行上面にフランジ面を上方としチャネル部材をアンカー等で固定する工程、そのチャンネル部材と前記の手摺り部材基部のチャネル部材とをフランジ面を面あわせして、ボルト等で結合固定する工程、そのフランジ面合わせ結合部の階段側にシール材またはコーキング材を塗布注入する工程、養生工程のみであるので、簡潔かつ短期で完了する。【００１３】  このように既設の階段脇に袖壁状に配設した安全構造をそのまま利用するので安価であり、かつまた、前記のように簡潔かつ短期な現場施工期間ですむので実用的である。【００１４】  さらに、フランジ面合わせ結合部の階段側に、シール材またはコーキング材を配設したので、階段の利用者からは固定のためのボルトなどは見えないので、いたずらでボルトを回され手摺部材の固定がルーズになる事故がなく、より安全である。
【図面の簡単な説明】
【００１５】
【図１】図１は、本考案の構造を実施した階段周辺の模式図である。
【図２】図２は、本考案の構造の側面図である。
【図３】図３は、図２に示されたａ−ａ’断面図である。
【考案を実施するための形態】
【００１６】  基部にチャネル部材（１２）を有する手摺部材（９）は、既設の袖壁状に適する任意のデザインで、利用者が違和感なく安全が確保されるものを適宜採用して製作すればよい。
【００１７】  また、建造物が２階以上の中高層の場合などで、階段が踊り場を介して継続して多数設置されている場合でも、図１から図３に例示した基本構成を繰り返した構造として実施すればよい。
【符号の説明】
【００１８】１  階段
２  階段脇の袖壁
３  階段脇の袖壁の斜行上面
４  階段の第一段目
５  階段の第一段目の位置を示す範囲
９  手摺部材
１０  ３にフランジ面を上方とし固定したチャネル部材のウェッブ面
１１  １０のフランジ面
１２  ９の基部にフランジ面を下方とし固定したチャネル部材のウェッブ面
１３  １２のフランジ面
１９  手摺部材９の最下部
２０  １０を階段脇の袖壁の斜行上面３に固定するアンカー
２１  １１と１３とを面あわせ結合締結するボルト
３０  １１と１３との面合わせ結合部の階段側に配設されたシール材またはコーキング材
【図１】
0003164451.tif 000003
【図２】
0003164451.tif 000004
【図３】
0003164451.tif 000005